(57)【特許請求の範囲】
【請求項１】
壁に設置されたパネルと、
前記パネル内部に配線された電線と、
接地され、かつ前記電線に対して接地電位を基準とした直流高電位を印加する直流高圧電源と、
を備えた集塵装置であって、
前記直流高圧電源により前記直流高電位が一端に印加される電線の他端を電気的に開放し、対流により前記パネル近辺に移動する帯電した塵埃を前記パネルの表面に付着させて捕集することを特徴とする集塵装置。
【請求項２】
請求項１において、
前記パネルの少なくとも表面が絶縁体である樹脂材によって構成されていることを特徴とする集塵装置。
【請求項３】
請求項１又は請求項２において、
前記パネルと前記壁との間に間隙を設けて、前記パネルの前記壁との対向する表面に塵埃を捕集することを特徴とする集塵装置。
【請求項４】
請求項３において、
前記壁を接地電位とすることを特徴とする集塵装置。
【請求項５】
請求項１乃至請求項４のいずれか一項において、
前記パネルの表面に沿って塵埃を通過させる対流を発生する加熱源を更に備えることを特徴とする集塵装置。
【請求項６】
請求項１乃至請求項５のいずれか一項において、
前記パネルにおける、少なくとも塵埃を捕集する表面を含む一部が、取り外し可能な構造であることを特徴とする集塵装置。
【発明の詳細な説明】
【技術分野】
【０００１】
本発明は、塵埃を捕集する集塵装置に関するもので、特に、帯電した塵埃を電気的に捕集する集塵装置に関するものである。
【背景技術】
【０００２】
ハウスダストや花粉などの塵埃が疾病の原因として知られており、これら塵埃が原因となる疾病を防ぐために、近年、室内環境に対する問題意識が高まり、床面上や空気中に浮遊した塵埃を取り除くための集塵装置が一般に普及されている。この集塵装置の代表的なものとしては、コロナ放電により帯電させた塵埃を、塵埃を帯電させた電荷と逆極性となる電位に帯電させた電極で捕集する空気清浄機などが、よく知られている。
【０００３】
しかしながら、この空気清浄機の場合、当該装置の設置場所周辺が集塵の対象となるため、局所的な集塵機能を備えるものにすぎず、室内全体に広がる微細な塵埃を除去するには、時間的にも空間的にも非効率である。加えて、空気清浄機に塵埃を引き込む必要があるため、空気清浄機の多くは、室内の空気を吸気するためのファンが設けられる。そのため、空気清浄機の駆動中には、ファンを回転させるための駆動音が発生し、この駆動音が不快感を与える。
【０００４】
又、室内空間を有効に利用するとともに、室内の美観を損なわないことを目的として、空気清浄機能を備えた壁構造が提案されている。このような壁構造として、本出願人も、特許文献１において、室内の空気を吸入する吸入口と、吸入口をから吸入した空気を室内に吹き出す吹出口とを壁に設け、吸入口と吹出口とをつなぐ風路にフィルタを設置することで、風路を通過させた室内空気の清浄化を行うものを提案している。更に、道路や線路などの車などに対する走行路線の領域内に生じる粉塵を除去するために、特許文献２に提案されるような、繊維材を帯電パネルに接触させて発生させた静電気により粉塵を帯電パネルに捕集する粉塵除去用ユニットが提案されている。
【特許文献１】実公平０６−０２５７８３号公報
【特許文献２】特開２００２−０４７６２７号公報
【発明の開示】
【発明が解決しようとする課題】
【０００５】
しかしながら、特許文献２による粉塵除去用ユニットの場合、帯電パネルを帯電させるために、繊維材を帯電パネルに接触させつつ回転させるプロペラ部材を備える必要がある。即ち、帯電パネルの表面に接触する繊維材を植設されたプロペラが必要となる。更に、このプロペラを強制的に回転させるためには、例えば、モータなどの動力部分などが必要となる。よって、特許文献２の粉塵除去用ユニットは大がかりな構造となるため、このような粉塵除去用ユニットを壁構造として適用した場合、当該壁構造の設置空間が大きくなり、室内空間を狭めてしまう。
【０００６】
又、特許文献１の壁構造では、フィルタによる空気清浄を行うものであるため、フィルタを通過させる空気の流れをフィルタに対して一方向に設定する必要がある。よって、空気の流れを強制的に決定するためのファンが必要となり、空気清浄機と同様、ファンを回転させる際の駆動音が発生することとなる。更に、フィルタにより塵埃の除去を行うために、塵埃を捕集して汚れたフィルタは、その捕集能力が低下してしまう。そのため、特許文献１のような壁構造においては、その清浄能力を維持するために、定期的にフィルタの取り替えを行う必要がある。
【０００７】
このような問題に鑑みて、本発明は、室内空間を有効に利用できるとともに捕集した塵埃を容易に取り除くことができるパネルを利用した集塵装置を提案することを目的とする。
【課題を解決するための手段】
【０００８】
上記目的を達成するために、本発明の集塵装置は、壁に設置されたパネルと、前記パネル内部に配線された電線と、接地され、かつ前記電線に対して接地電位を基準とした直流高電位を印加する直流高圧電源と、を備えた集塵装置であって、前記直流高圧電源により前記直流高電位が一端に印加される電線の他端を電気的に開放し、対流により前記パネル近辺に移動する帯電した塵埃を前記パネルの表面に付着させて捕集することを特徴とする。
【０００９】
このような集塵装置において、前記パネルの少なくとも表面が絶縁体である樹脂材によって構成されるものとし、前記パネル自体を絶縁体により構成するものとしてもよい。
【００１０】
又、前記パネルと前記壁との間に間隙を設けて、前記パネルの前記壁との対向する表面に塵埃を捕集するものとしてもよいし、前記パネルを前記壁に直接設置するとともに、前記パネルの室内側の表面に塵埃を捕集するものとしてもよい。更に、前記パネルの前記壁との対向する表面に塵埃を捕集する場合、前記壁を接地電位とすることによって、前記パネル表面における静電気力を強くすることができる。
【００１１】
前記パネルの前記壁との対向する表面に塵埃を捕集する場合、浮き壁などの建材により構成することができる。又、前記パネルの室内側の表面に塵埃を捕集する場合、巾木、回り縁、腰壁などによって構成することができる。
【００１２】
上述のいずれかの集塵装置において、前記パネルの表面に沿って塵埃を通過させる対流を発生する加熱源を更に備えるものとすることで、捕集する塵埃を強制的に前記パネルの表面上を通過させる対流を生成する手段を備えるものとしてもよい。
【００１３】
上述のいずれかの集塵装置において、前記パネルにおける、少なくとも塵埃を捕集する表面を含む一部が、取り外し可能な構造となるものとしてもよい。このように構成することで、集塵を行った取り外し構造部分を取り外して、当該構造部分の表面を拭き取るなどして、捕集した塵埃を除去することが可能となる。
【発明の効果】
【００１４】
本発明によると、高電位が印加された電線を配線したパネルによって構成するため、室内の壁構造の一部とすることができ、室内空間を有効に活用することができる。そして、この壁構造の一部とすることにより、対流に対する幅を広くすることができ、集塵面積を広げることができるため、集塵効率を高めることができる。又、対流によって流れる塵埃を捕集する構造であり、強制的に空気の流れを形成するファンなどを備えた構成でないので、機械的な騒音がない。更に、パネル表面で集塵を行うため、パネル表面を拭き取るなど、捕集した塵埃の除去作業を容易なものとすることができる。
【発明を実施するための最良の形態】
【００１５】
（基本構成）
まず、本発明の集塵装置について、その基本構成を以下に説明する。図１は、本発明の集塵装置の基本構成を示す概略図である。図２は、図１の集塵装置を壁構造として室内に設置したときの状態を示す図である。図３は、図１の集塵装置による塵埃の捕集を説明する図である。
【００１６】
図１に示すように、集塵装置１は、その表面に塵埃を捕集する樹脂材料によるパネル２と、パネル２内に配線された電線３と、電線３に対して直流の高電位を与える直流電源となるＡＣ／ＤＣコンバータ４と、商用電源の供給元であるコンセントに接続されてＡＣ／ＤＣコンバータ４に対して交流電源の供給を行う電源プラグ５とを備える。そして、パネル２は、高電位が与えられる電線３による感電を防ぐために、少なくともその表面が絶縁材料で覆われるとともに、その内部には、集塵用の電極として働く複数本の電線３が配線される。
【００１７】
パネル２内に配線される電線３は、ＡＣ／ＤＣコンバータ４に対して並列となるように配線されるとともに、例えば、電線３それぞれを平行に配線するなど、パネル２の面方向に広がるように配線される。又、ＡＣ／ＤＣコンバータ４は、接地電位が与えられることにより、電線３に供給する正又は負の高電位を、接地電位を基準電位とした電位に設定することができる。即ち、部屋を構成する床などが接地電位となるため、この接地電位をＡＣ／ＤＣコンバータ４で基準電位に設定することで、ＡＣ／ＤＣコンバータ４と接続された電線３を、床などに比べて正又は負の高電位とすることができる。
【００１８】
このように構成される集塵装置１を壁構造としたときの塵埃の捕集の概要について、図２及び図３を参照して説明する。尚、図３では、集塵装置１を構成するパネル２の断面の概略を示すとともに、床６が接地電位とされるものとする。又、室内を浮遊する塵埃７が接地電位を基準として正に帯電しているものとするとともに、ＡＣ／ＤＣコンバータ４から電線３に供給される電位は、床６の接地電位を基準とした負の高電位であるものとする。
【００１９】
室内においては、冷暖房器具などにより、例えば、図２の矢印に示すような自然対流が生じている。よって、この室内空気の自然対流によって、室内を浮遊する塵埃７が、集塵装置１が設置された壁側まで到達した後、この壁に沿って移動することとなる。即ち、図２のような自然対流が生じている場合は、部屋の中央から壁側まで運ばれた塵埃が、壁に沿って床６から天井に向かって運ばれる。
【００２０】
このとき、集塵装置１では、パネル２内に配線されている電線３には負の高電位が供給されるため、電線３が負に帯電していることとなり、電線３それぞれの周囲に電界を生じさせることとなる。そして、正に帯電している塵埃７がパネル２の表面近傍を移動する際、パネル２の表面には、負に帯電した電線３による電界が生じているため、正帯電の塵埃７と負帯電の電線３との間で静電気力が生じる。これにより、自然対流に沿ってパネル２の表面近傍を移動する塵埃７は、パネル２の表面に付着することとなる。
【００２１】
このように構成される集塵装置１は、パネル２に配線される電線３を床６に対して平行になるように配線することで、図２のような室内空気の自然対流の流れに対して垂直な方向に配線することができる。そして、パネル２及び電線３の床に対して平行な長さを長くすることにより、室内空気の自然対流に沿って流れる塵埃７のパネル２表面での集塵量を多くすることができる。
【００２２】
又、パネル２表面と電線３との距離を調整することによって、パネル２表面における静電気力を調整することができるため、パネル２表面での塵埃の付着力を調整することができる。即ち、パネル２表面と電線３との距離が短くなるほど、パネル２表面での塵埃の付着力が大きくなる。更に、パネル２に配線する電線３の間隔を調整することによっても、パネル２表面全体の塵埃の付着力を調整することができる。即ち、電線３の間隔を短くすることが、帯電電極の面積が広くなることに等しいため、電線３の間隔を短くするほど、パネル２表面での塵埃の付着力を調整することができる。
【００２３】
更に、パネル２について、少なくともその表面について絶縁性の樹脂で形成するものとするが、この樹脂に対して、タルクやマイカなどの無機フィラーや木粉繊維などの有機フィラーを配合するものとしてもよい。このフィラーの配合によって、パネル２を寸法安定性の高いものとすることができるとともに、パネル２自体の反りを抑制することができる。そして、配合率などを変更することにより、パネル２の誘電率を変更することができるため、パネル２表面での付着力の調整を行うこともできる。
【００２４】
尚、図１においては、パネル２内の電線３の配線方法として、ＡＣ／ＤＣコンバータ４に対して並列に接続された複数本の電線３が平行に配線されるものとしたが、電線３の配線方法は、この図１に示す例に限るものではない。例えば、１本の電線３をパネル２全面に配線されるように、図４（ａ）に示すように、電線３をメアンダ状に屈曲させた配線としてもよいし、図４（ｂ）に示すように、電線３を渦巻状に屈曲させた配線としてもよい。更に、電線３の代わりに、図５（ａ）のようなパネル２の相似形状となる平板の導体板３ａを用いてもよいし、図５（ｂ）のようなパネル２の相似形状となる平板で且つ網目状となる導体板３ｂを用いてもよい。
【００２５】
又、上述の説明では、塵埃７が正に帯電しているものとして、電線３に負の高電位が供給されるものとしたが、負に帯電している塵埃７を捕集する場合は、電線３に正の高電位を供給すればよい。更に、対流の方向におけるパネル２の上流側と下流側とに領域を２分割し、分割したそれぞれの領域に配線される電線３に与える高電位を逆の極性とするものとしてもよい。このとき、例えば、上流側の領域に配線された電線３に正の高電位が供給され、下流側の領域に配線された電線３に負の高電位が供給されるものとすると、パネル２の上流側の領域において、負に帯電した塵埃を捕集し、パネル２の下流側の領域において、正に帯電した塵埃を捕集することができる。
【００２６】
以下の各実施形態の集塵装置は、上述の基本構成を備えるものであり、以下では、それぞれの実施形態における特徴部分を説明する。又、第１〜第４の実施形態の集塵装置が、浮き壁を構成する集塵装置であり、第５の実施形態の集塵装置が巾木を構成する集塵装置である。
【００２７】
＜第１の実施形態＞
本発明における第１の実施形態の集塵装置について、図面を参照して以下に説明する。図６が、本実施形態の集塵装置を壁に取り付けたときの構成を示す外観斜視図であり、図７が、図６の集塵装置を支持部材の構成を示す外観斜視図である。又、図８は、図６の集塵装置における集塵部材と支持部材との関係を示す断面図であり、（ａ）が、床面に平行な方向の断面図であり、（ｂ）が、床面に垂直な方向の断面図である。更に、図９は、図６の集塵装置における回路構成を示す概略図である。
【００２８】
図６に示すように、本実施形態の集塵装置１は、部屋の壁に接続される支持部材２１と、支持部材２１に挿入されて壁面に表面が対向するように支持される集塵部材２２とによって、浮き壁となるパネル２（図１のパネル２に相当）が構成される。即ち、支持部材２１が、壁面と対向する側に集塵部材２２を支持する構造を備え、この支持部材２１の支持構造によって集塵部材２２が支持される。そして、支持部材２１の壁面と反対側が化粧材によって表面装飾が施されることで浮き壁を構成し、集塵部材２２の壁面との対向面において塵埃が捕集される。
【００２９】
支持部材２１は、図７に示すように、壁面と平行となる浮き壁の主部である壁部１００と、壁部１００における床面に対して平行な方向の両側端部に壁に対して垂直に設けられて壁と接続する接続部１０１，１０２と、壁部１００に床面側の端部に壁に向かって突起させた集塵部材２２を支持する支持部１０３と、集塵装置１への電源供給のＯＮ／ＯＦＦを行う主電源スイッチ（以下、「スイッチ」と呼ぶ）１０４とを備える。即ち、支持部材２１は、床面に対して平行な面での断面構成が、図８（ａ）に示すように、壁部１００及び接続部１０１，１０２によりコの字状となり、又、床面に対して垂直な面での断面構成が、図８（ｂ）に示すように、壁部１００及び支持部１０３によりＬ字状となる
【００３０】
この図７に示す構成の支持部材２１は、接続部１０１，１０２それぞれにおいて、壁部１００との接続位置に、集塵部材２２における床面に対して平行な方向の端部が挿入される溝１０５，１０６が、床面に対して垂直な方向に延びた形状となるように形成される。又、支持部１０３には、壁部１００との接続位置に、集塵部材２２における床面側の端部が挿入される溝１０７が、床面に対して平行な方向に延びた形状となるように形成される。
【００３１】
これにより、１枚の平板構造となる集塵部材２２が天井側から支持部材２１に対して挿入されるとき、集塵部材２２の両端部が溝１０５，１０６に嵌合される。そして、溝１０５，１０６によって、集塵部材２２の床側の端部が、床側の支持部１０３の溝１０７まで誘導され、溝１０７に集塵部材２２に挿入される。よって、集塵部材２２は、溝１０５〜１０７に対して、その床面に平行な両端部と床面側の端部が嵌合されて支持された状態となり、壁に対して浮いた位置に保持される。
【００３２】
このように構成されるとき、集塵部材２２は、絶縁材料となる樹脂により構成され、その内部に、直流の高電位が供給される複数本の電線３が、床面及び壁面それぞれと平行となるように配線される。尚、電線３については、基本構成で説明したように、図４による配線方法により配線されるものとしてもよいし、図５に示す導体板３ａ，３ｂにより代用するものとしてもよい。
【００３３】
この集塵部材２２は、後述するが、その床側の端部が支持部１０３の溝１０７に挿入された保持された状態となったとき、その内部に配線された電線３に高電位が印加される。これにより、室内の自然対流によって、集塵部材２２の壁面と対向する表面と壁面との間の空間に、図８（ｂ）の矢印のように、帯電した塵埃が流れ込むと、集塵部材２２の壁面と対向する表面が、集塵面として帯電した塵埃を捕集する。
【００３４】
又、集塵部材２２は、天井側から支持部材２１より引き抜くことができる。よって、集塵部材２２の集塵面に捕集された塵埃の量が多くなったとき、スイッチ１０４により主電源をＯＦＦとして、電線３への電力供給を停止した後、集塵部材２２を支持部材２１より引き抜く。そして、集塵部材２２の集塵面を拭き取るなどすることにより、集塵面に集塵された塵埃を容易に取り除くことができる。尚、この集塵部材２２の支持部材２１からの取り外しを容易にするために、集塵部材２２の天井側の端部に取手などを備えるようにしてもよい。
【００３５】
このような構造を備えた集塵装置１の電気的な構成について、図９を参照して以下に説明する。図９に示すように、集塵部材２２は、その内部において相互に平行となるように配線された複数本の電線３と、この複数本の電線３それぞれを並列に接続するために電線３全てと接続された電線２０１と、電線２０１に接続されて後述の端子１０８と物理的に接続することで電気的な接続が成される端子２０２とを備える。
【００３６】
又、支持部材２１は、その内部に、端子２０２と物理的に接続されることで電線２０１と電気的に接続する端子１０８と、この端子１０８に出力側が接続されたＡＣ／ＤＣコンバータ４と、外部で接地されることでＡＣ／ＤＣコンバータ４に接地電位を供給する接地用端子１０９と、電源プラグ５と接続される電源用端子１１０と、ＡＣ／ＤＣコンバータ４の入力側と電源用端子１１０との間に接続されたスイッチ１０４とを備える。この支持部材２１は、ＡＣ／ＤＣコンバータ４、スイッチ１０４、端子１０８、接地用端子１０９、及び電源用端子１１０の設置部分周辺や、これらを電気的に接続する配線部分周辺について、絶縁材料で構成される。
【００３７】
この図９のような電気的な構成が成されるとき、まず、電源プラグ５がコンセントなどで商用電源と接続されることで、商用電源が電源用端子１１０及びスイッチ１０４を介してＡＣ／ＤＣコンバータ４の入力側に供給される。尚、スイッチ１０４は、図６及び図７に示すように、その操作部が支持部材２１の外部に設けられた構成となる。又、接地用端子１０９が外部で接地されることで、接地用端子１０９を介して接地電位がＡＣ／ＤＣコンバータ４の出力側に供給される。
【００３８】
このように電源供給がなされている支持部材２１に集塵部材２２が挿入されると、集塵部材２２の端子２０２と支持部材２１の端子１０８とが物理的に接続されることによって、端子１０８，２０２を介して、ＡＣ／ＤＣコンバータ４の出力側と電線２０１が電気的に接続される。このとき、スイッチ１０４をＯＮとすることにより、支持部材２１では、商用電源からの交流電源がＡＣ／ＤＣコンバータ４に供給される。
【００３９】
そして、ＡＣ／ＤＣコンバータ４は、その出力側に接地用端子１０９からの接地電位が供給されるため、この接地電位を基準とした高電位（例えば、１〜１０ｋＶ）を端子１０８に出力する。よって、集塵部材２２の端子２０２にＡＣ／ＤＣコンバータ４からの直流の高電位が供給されるため、電線２０１によって並列に接続された複数本の電線３に対して直流の高電位が供給されることとなる。これにより、集塵部材２２の壁面と対向する面が集塵面として働き、当該集塵面で塵埃の捕集が成される。
【００４０】
又、集塵部材２２の捕集した塵埃を除去するために支持部材２１より取り外すときは、まず、主電源スイッチとなるスイッチ１０４をＯＦＦとすることで、ＡＣ／ＤＣコンバータ４への電源供給を遮断して、ＡＣ／ＤＣコンバータ４による直流高電圧の生成を停止する。その後、上述のように、集塵部材２２を支持部材２１から引き抜くことにより、感電を防止した状態で集塵部材２２を取り外すことができる。
【００４１】
このように構成するとき、端子１０８が溝１０５〜１０７のいずれかに設けられ、端子２０２は、溝１０５〜１０７に挿入される集塵部材２２の端部において、端子１０８と接続可能な位置に設けられる。この端子１０８，２０２について、その一方を凸状とするとともに、他方を凹状とすることで、端子１０８，２０２の一方に他方が嵌め込まれる構成とするものとしてもよい。このとき、溝１０５，１０６などといった、溝１０７の底以外に、端子１０８が設けられる場合は、更に、凸状となる端子については、突起した方向に付勢されるとともに、集塵部材２２の端部を溝１０５，１０６にスライドさせるために、支持部材２１又は集塵部材２２内部に押し込まれて収容可能な構成とされる。
【００４２】
尚、本実施形態においては、集塵部材２２が天井面側にスライド可能な構成とすることで、支持部材２１より分離可能な構成としたが、支持部材２１の床面側の支持部１０３に可動部材を設けて、当該可能部材を床側に開いた後に、集塵部材２２を床面側にスライドさせて支持部材２１より分離可能な構成としてもよい。同様に、集塵部材２２を床面に対して水平な方向にスライドさせて支持部材２１より分離させる構成としてもよい。
【００４３】
＜第２の実施形態＞
本発明における第２の実施形態の集塵装置について、図面を参照して説明する。図１０は、本実施形態の集塵装置を壁に取り付けたときの構成を示す外観斜視図であり、図１１は、図１０の集塵装置における塵埃の除去を行うために開いたときの外観斜視図である。又、図１２は、図１０の集塵装置の支持部材と集塵部材との関係を示す図であり、図１３は、図１０の集塵装置における回路構成を示す概略図である。尚、本実施形態の集塵装置の構成において、第１の実施形態の集塵装置（図７〜図９）の構成と同一の目的で使用する部分については、同一の符号を付してその詳細な説明を省略する。
【００４４】
図１０に示すように、本実施形態の集塵装置１は、第１の実施形態の支持部材２１（図７参照）と異なり、壁面に対して垂直に突設された棒状の２本の支持部材２１ａ，２１ｂによって構成される。即ち、支持部材２１ａ，２１ｂは、第１の実施形態の支持部材２１の接続部１０１，１０２に相当する位置に設置され、その長手方向が、床面に対して垂直であり、且つ、敷設される壁面に対して平行となる。
【００４５】
そして、壁面から離れて取り付けられる集塵部材２２ａは、壁に取り付けられた支持部材２１ａの壁側と離れた端部に接続されるとともに、支持部材２１ａ，２１ｂに挟持されることで、その集塵面が壁面と対向するように固定される。この集塵部材２２ａの集塵面（壁面と対向する表面）の裏側が、第１の実施形態の支持部材２１における壁部１００に相当し、その表面に化粧材による装飾が施される。
【００４６】
又、支持部材２１ａは、集塵部材２２ａとの接続部分において、集塵部材２２ａを回転させる回転軸１１１を備え、集塵部材２２ａは、この回転軸１１１を中心に回転することで、図１１に示すように、支持部材２１ｂに対して開くことができる。一方、支持部材２１ｂは、壁と逆側の端部において、集塵部材２２ａの回転軸１１１との接続部分と逆側の端部を保持するための構造を備える。即ち、支持部材２１ｂは、壁面より突設された棒状の固定部１１２と、固定部１１２の壁と逆側の端部に設けられるとともに回動可能な可動部１１３と、可動部１１３を固定部１１２との接続部分を中心に回転させる回転軸１１４とを備える。又、集塵部材２２ａは、支持部材２１ｂによって保持される端部において、固定部１１２と可動部１１３とによって挟持される突起部２０３を備える。
【００４７】
このように構成されるとき、図１０のように、集塵部材２２ａが支持部材２１ａ，２１ｂによって挟持されるようにして固定されることで、第１の実施形態と同様、集塵部材２２ａと壁面との間の空間に、自然対流によって運ばれる帯電した塵埃が流入する。この帯電した塵埃が、集塵部材２２ａと壁面との間の空間を通過することにより、集塵部材２２ａの集塵面で捕集される。
【００４８】
又、集塵部材２２ａの集塵面で捕集された塵埃の量が多くなり、その集塵能力が低下すると、本実施形態においては、集塵部材２２ａを、回転軸１１１を中心に開くことによって、集塵部材２２ａの集塵面を室内側に開放することができる。即ち、集塵部材２２ａによる集塵が行われているときは、図１０のように、支持部材２１ｂに集塵部材２２ａが保持された状態とされる。そして、集塵部材２２ａの集塵面における塵埃の除去を行うときは、図１１のように、支持部材２１ｂから集塵部材２２ａを取り外して、支持部材２１ａとの接続部分を中心に回転させて、集塵部材２２ａの集塵面を室内側に開放する。
【００４９】
この集塵部材２２ａの開閉について、図１２を参照にして以下に説明する。尚、図１２は、天井面から見た集塵機１の上面図であり、（ａ）が、支持部材２１ｂにより集塵部材２２ａが保持されている状態を示し、（ｂ）が、支持部材２１ｂによる集塵部材２２ａの保持が解除された状態を示し、（ｃ）が、集塵部材２２ａを開いた状態を示す。
【００５０】
まず、支持部材２１ｂにおける構成を簡単に説明する。上述したように、支持部材２１ｂは、壁より突設された固定部１１２の端部に、回転軸１１４を中心に回動する可動部１１３を備えた構成である。そして、図１２（ａ）に示すように、可動部１１３は、床面に対して平行な断面がＬ字状とされ、回転軸１１４から離れた部分を支持部材２１ａ側に突起した形状となる。又、回転軸１１４は、固定部１１２の端部における中心位置から外側（支持部材２１ａと反対側）の位置に設けられる。又、集塵部材２２ａの支持部材２１ｂ側に設けられる突起部２０３が、集塵部材２２ａの集塵面側に設けられ、集塵部材２２ａの支持部材２１ｂ側の端部が、可動部１１３によって係止する形状とされる。
【００５１】
このように構成されるとき、図１２（ａ）に示すように、固定部１１２の端部の内側の面と可動部１１３の支持部材２１ａ側への突起部分とがコの字状の面を作ることで、集塵部材２２ａの突起部２０３が挟持されることで、集塵部材２２ａが壁に対して平行に浮いた状態に固定される。この図１２（ａ）の状態で集塵動作がなされた後、集塵部材２２ａで捕集した集塵の除去を行うために、集塵面の室内への開放を行うとき、まず、図１２（ｂ）のように、回転軸１１４を中心軸として可動部１１３を支持部材２１ｂの外側に回転させる。
【００５２】
これにより、集塵部材２２ａの突起部２０３の可動部１１３との接触面が開放された状態となるため、集塵部材２２ａの支持部材２１ｂによる保持が解除された状態となる。よって、集塵部材２２ａが回転軸１１１を中心軸として回転可能となるため、次に、図１２（ｃ）のように、集塵部材２２ａを壁面から離れる方向に回転させる。これにより、集塵部材２２ａの集塵面を室内側に開放することができるため、集塵部材２２ａの集塵面の拭き取りが可能となり、捕集した塵埃の除去を行うことができる。
【００５３】
このような構造を備えた集塵装置１の電気的な構成について、図１３を参照して説明する。図１３に示すように、集塵部材２２ａは、集塵装置２２（図９参照）と同様、平行に配線された電線３と、電線３全てと接続された電線２０１とを備える。そして、この集塵部材２２ａは、集塵装置２２（図９参照）と異なり、電線２０１と接続される端子２０２の代わりに、出力側が電線２０１と接続されるＡＣ／ＤＣコンバータ４と、外部で接地されることでＡＣ／ＤＣコンバータ４に接地電位を供給する接地用端子２０４と、ＡＣ／ＤＣコンバータ４の入力側に接続された端子２０５とを備える。
【００５４】
又、支持部材２１ｂが、電源プラグ５と接続される電源用端子１１０と、端子２０５と物理的に接続されることでＡＣ／ＤＣコンバータ４と電気的に接続する端子１１５と、電源用端子１１０と端子１１５との間に接続された電線１１６とを備える。即ち、支持部材２１ｂは、支持部材２１（図９参照）と異なり、ＡＣ／ＤＣコンバータ４及びスイッチ１０４を内蔵していない構成となる。
【００５５】
更に、端子１１５が、支持部材２１ｂの可動部１１３における集塵部材２２ａとの接触面側に設けられる。そして、端子１１５に端子２０５を接続可能とするために、集塵部材２２ａの可動部１１３との接触面における端子１１５との相対位置に、端子２０５が設置される。このように、支持部材２１ｂ及び集塵部材２２ａそれぞれに対して端子１１５，２０５を設けることによって、図１２（ａ）、（ｂ）のように、支持部材２１ｂの可動部１１３を回動させることで、端子１１５，２０５の接続及び切断が成される。即ち、端子１１５，２０５と可動部１１３の構成によって、第１の実施形態におけるスイッチ１０４（図９参照）と同様の主電源スイッチが構成される。
【００５６】
この図１３のような電気的な構成が成されるとき、電源プラグ５がコンセントなどで商用電源と接続されることで、図１２（ａ）のように、支持部材２１ｂの可動部１１３により集塵部材２２ａが保持されている場合、商用電源が、支持部材２１ｂの電源用端子１１０及び電線１１６を介して、端子１１５に接続される集塵部材２２ａの端子２０５に供給される。よって、集塵部材２２ａ内のＡＣ／ＤＣコンバータ４に商用電源が供給されることとなり、接地端子２０４に与える接地電位を基準電位とした高電位が、電線２０１を介して電線３に供給される。これにより、集塵部材２２ａの壁面と対向する面が集塵面として働き、当該集塵面で塵埃の捕集が成される。
【００５７】
又、集塵部材２２ａの捕集した塵埃を除去する場合は、上述したように、まず、支持部材２１ｂを図１２（ｂ）に示すような構成とする。即ち、支持部材２１ｂの可動部１１３を回転させ、可動部１１３の端子１１５と集塵部材２２ａの端子２０５との接続を切断する。これにより、集塵部材２２ａ内のＡＣ／ＤＣコンバータ４への商用電源の供給が停止されるため、電線２０１を介した電線３への高電位の供給が停止される。よって、図１２（ｃ）のように、集塵部材２２ａを室内側に開いて、集塵面の塵埃の除去を行う際に、感電を防止することができる。
【００５８】
尚、本実施形態では、床面に垂直な方向を長手方向とした回転軸１１１により集塵部材２２ａを開くものとしたが、床面に水平な方向を長手方向とした回転軸により集塵部材２２ａを開くものとしてもよい。このとき、集塵部材２２ａは、集塵装置１を天井側に取り付ける場合は、集塵装置１の天井側に回転軸を設けて床側が開くように構成し、集塵装置１を床側に取り付ける場合は、集塵装置１の床側に回転軸を設けて天井側が開くように構成してもよい。
【００５９】
又、集塵部材２２ａの回転軸１１１と逆側の端部を保持するための構成については、上述の支持部材２１ｂの構成に限定されるものではなく、支持部材２１ｂと集塵部材２２ａとの接触面において係止用の部材を設けることで保持するものなど、他の構成としてもよい。更に、第１の実施形態と同様、ＡＣ／ＤＣコンバータ４への電源供給の可否を決定するスイッチ１０４を備えるものとしてもよい。このスイッチ１０４を設ける場合、ＡＣ／ＤＣコンバータ４を支持部材２１ａ，２１ｂのいずれかに設けるものとしてもよい。
【００６０】
又、集塵部材２２ａに備えられたＡＣ／ＤＣコンバータ４を、集塵部材２２ａと常時接続されている支持部材２１ａに設ける構成としてもよい。このようにすることで、集塵部材２２ａが、電線による配線のみを備えた構成とすることができるため、集塵部材２２ａの軽量化を図ることができる。
【００６１】
＜第３の実施形態＞
本発明における第３の実施形態の集塵装置について、図面を参照して以下に説明する。図１４は、本実施形態における集塵装置の構成を示す概略断面図である。尚、本実施形態の集塵装置の構成において、第１の実施形態の集塵装置（図７〜図９）の構成と同一の目的で使用する部分については、同一の符号を付してその詳細な説明を省略する。
【００６２】
図１４に示すように、本実施形態の集塵装置１は、第１の実施形態の構成（図８（ｂ）参照）に更に、支持部材２１における支持部１０３よりも床側に設置されたライト２３を備えた構成となる。このライト２３は、壁面に埋め込まれたプラグ２４に固定されることにより、電気的に接続される。その他の構成については、第１の実施形態と同様であるため、その詳細な説明は省略する。
【００６３】
このように構成される集塵装置１によると、ライト２３が加熱源として機能するため、ライト２３により床側の空気を暖められることとなり、図１４の矢印に示すように、暖められた空気が天井側へ移動する対流が強制的に生成される。即ち、集塵部材２２と壁との空間を通過する空気を暖める構成とするために、ライト２３が支持部材２１の支持部１０３と壁との間に設けられ、図１４の矢印に示す対流が強制的に生成される。これにより、ライト２３の加熱により生成された対流に運ばれる塵埃を、集塵部材２２の集塵面の上面に強制的に通過させることができる。
【００６４】
又、ライト２３として、例えば、複数の電球を用いた場合、床面及び壁面それぞれに平行となるように一列に配置することで、支持部材２１における支持部１０３と壁の間における空気の流入口に対して、むらなく対流を発生させることができる。そして、この一列に配置した複数の電球を透明な樹脂カバーによって覆うことによって、床側の照明器具を構成することができる。又、このライト２３として、図１４のような電球によるものではなく、その長手方向が床面及び壁面それぞれに平行となるように設置された蛍光灯によって構成されるものとしてもよい。
【００６５】
尚、本実施形態では、照明器具としても機能するライト２３によって、特徴となる加熱源を構成するものとしたが、床側の空気を暖めて集塵部材２２の集塵面上を通過させる対流を生じさせる加熱源であれば、他の構成であってもよい。よって、例えば、床下に電熱線などを配置することで、床面から天井に向かって強制的な対流を生じさせる加熱源であってもよい。
【００６６】
又、本実施形態について、第１の実施形態の構成に追加したものとしたが、第２の実施形態の構成（図１０〜図１３）に対しても、本実施形態の特徴であるライト２３による加熱源を追加することによって、集塵部材２２ａの集塵面上を通過させる対流を生じさせることができる。即ち、第２の実施形態における構成に対して、集塵部材２２ａの床側の端部よりも床側における、集塵部材２２ａの集塵面と壁との間となる位置に、ライト２３を設置することによって、集塵部材２２ａの集塵面上を通過させる対流を生じさせることができる。
【００６７】
＜第４の実施形態＞
本発明における第４の実施形態の集塵装置について、図面を参照して以下に説明する。図１５は、本実施形態における集塵装置の構成を示す概略断面図である。尚、本実施形態の集塵装置の構成において、第１の実施形態の集塵装置（図７〜図９）の構成と同一の目的で使用する部分については、同一の符号を付してその詳細な説明を省略する。
【００６８】
図１５に示すように、本実施形態の集塵装置１は、第１の実施形態の構成（図８（ｂ）参照）に更に、集塵部材２２における集塵面と対向する壁面上に設置された導体板２５を備えた構成となる。この導体板２５は、ＡＣ／ＤＣコンバータ４に与えられる接地電位と同一の接地電位が供給され、ＡＣ／ＤＣコンバータ４から高電位が供給される電線３による電界強度を大きくすることができる。その他の構成については、第１の実施形態と同様であるため、その詳細な説明は省略する。
【００６９】
このように構成される集塵装置１において、接地電位が与えられる導体板２５が設置されることで、上述したように、電線３による電界強度を大きくすることができるため、帯電した塵埃に対する静電気力を強くすることができ、結果的に、塵埃の捕集能力を高めることができる。この導体板２５は、図１５に示すように、壁面上に設置するものとしてもよいし、壁面内部に設置するとともに、壁面が絶縁材料で形成されるものとしてもよい。
【００７０】
尚、導体板２５は、電線３に対向する位置に設置されることが望ましいが、電線３の配線と類似した形状とする必要はない。即ち、電線３の形状としては、図１や図４のような電線３の配線と同様のパターンによる形状としてもよいし、図５に示すような形状としてもよい。又、本実施形態においても、第３の実施形態と同様、第２の実施形態の構成（図１０〜図１３）に対しても、本実施形態の特徴となる導体板２５を追加することで、本実施形態における効果を得ることができる。
【００７１】
＜第５の実施形態＞
本発明における第５の実施形態の集塵装置について、図面を参照して以下に説明する。図１６は、本実施形態における集塵装置の構成を示す外観斜視図であり、図１７が、本実施形態の集塵装置における回路構成を示す概略図である。尚、本実施形態の集塵装置の構成において、第１の実施形態の集塵装置（図７〜図９）の構成と同一の目的で使用する部分については、同一の符号を付してその詳細な説明を省略する。
【００７２】
図１６に示すように、本実施形態の集塵装置１は、第１〜第４の実施形態のように浮き壁を構成するものではなく、床面側の壁上に設置された巾木５０として構成される。即ち、第１の実施形態における集塵部材２２（図９参照）と同様、図１７に示すように、絶縁材料となる巾木５０の内部に、床面と平行となるように配線された電線３を備えるとともに、この電線３それぞれを並列に接続するための電線２０１を備える。
【００７３】
そして、この電線２０１は巾木５０の設置された壁の内部にまで配線され、壁の内側に設置されたＡＣ／ＤＣコンバータ４の出力側に接続される。又、ＡＣ／ＤＣコンバータ４は、出力側に接地電位が与えられるとともに、その入力側がスイッチ１０４と接続されことで、スイッチ１０４を介して商用電源が入力される構成となる。更に、スイッチ１０４は、その操作部分が壁面に現れるように、壁内部に埋め込まれた構成とされる。
【００７４】
このような構成とすることで、スイッチ１０４により主電源をＯＮとすると、ＡＣ／ＤＣコンバータ４に商用電源が供給されるため、巾木５０内部に配線された電線３へ高電位が供給されることとなる。よって、巾木５０の室内側の表面が集塵面として機能し、巾木５０の近傍に存在する帯電した塵埃が、巾木５０の集塵面に付着して捕集される。このとき、巾木５０が床側に設置されるため、床面に落下している帯電した塵埃についても、集塵することができる。
【００７５】
そして、巾木５０の集塵面に捕集された塵埃の量が多くなったとき、スイッチ１０４により主電源をＯＦＦとし、ＡＣ／ＤＣコンバータ４への電源供給を停止する。そして、集塵部材２２の集塵面を拭き取るなどすることにより、集塵面に集塵された塵埃を容易に取り除くことができる。
【００７６】
尚、本実施形態において、集塵装置１によって巾木５０を構成するものとして説明したが、天井側の壁に設置される回り縁や、人の腰位置までに設置される腰壁などを構成するものとしてもよい。このとき、集塵装置１を回り縁として構成する場合、巾木や腰壁などと異なり、人体に触れにくい位置に設置されるため、集塵装置１の静電気による不快感を防ぐことができる。
【００７７】
又、本実施形態において、図１８（ａ）のように、巾木５０を床面より天井側に配置するとともに、巾木５０よりも床側に、加熱源となるライト２３を設けることで、第４の実施形態の構成と同様の構成としてもよい。この第４の実施形態において特徴となる構成を追加した集塵装置を回り縁５１に利用した場合は、図１８（ｂ）のように、天井側にライト２３を配置することができるため、部屋全体の照明として活用することができる。
【００７８】
更に、本実施形態において、図１９（ａ）のように、巾木５０の設置位置から離れた床面に、接地電位が与えられた導体板２５を設置することで、第５の実施形態と同様の構成としてもよい。この第５の実施形態において特徴となる構成を追加した集塵装置を回り縁５１に利用した場合は、図１９（ｂ）のように、天井面に導体板２５を配置することができるため、導体対２５を含む集塵装置に人体が触れない位置に設置することができる。
【産業上の利用可能性】
【００７９】
本発明の集塵装置は、壁構造の一部を構成する建材に適用可能であり、壁側と対面させた表面で集塵する場合は、浮き壁として構成することができ、室内側の表面で集塵する場合は、壁の一部、巾木、回り縁、腰壁などとして構成することができる。
【図面の簡単な説明】
【００８０】
【図１】は、本発明の集塵装置の基本構成を示す概略図である。
【図２】は、図１の集塵装置を壁構造として室内に設置したときの状態を示す図である。
【図３】は、図１の集塵装置を構成するパネルの断面と塵埃の関係とを示す概略図である。
【図４】は、図１の集塵装置における電線の配線方法の別例を示す概略図であり、（ａ）がメアンダ状とした配線例を示し、（ｂ）が渦巻き状の配線例を示す。
【図５】は、図１の集塵装置に用いる導体板の構成を示す概略図であり、（ａ）が平板形状とした導体板を示し、（ｂ）が網目状の導体板を示す。
【図６】は、本発明の第１の実施形態における集塵装置の構成を示す外観斜視図である。
【図７】は、図６の集塵装置における支持部材の構成を示す外観斜視図である。
【図８】は、図６の集塵装置における概略断面図であり、（ａ）が、床面に平行な方向の断面図であり、（ｂ）が、床面に垂直な方向の断面図である。
【図９】は、図６の集塵装置における回路構成を示す概略図である。
【図１０】は、本発明の第２の実施形態における集塵装置の構成を示す外観斜視図である。
【図１１】は、図１０の集塵装置における集塵部材の開いた状態の構成を示す外観斜視図である。
【図１２】は、図１０の集塵装置における天井から見た上面図であり、（ａ）が、集塵部材が保持されている状態を示し、（ｂ）が、集塵部材の保持が解除された状態を示し、（ｃ）が、集塵部材を開いた状態を示す。
【図１３】は、図１０の集塵装置における回路構成を示す概略図である。
【図１４】は、本発明の第３の実施形態における集塵装置の構成を示す概略断面図である。
【図１５】は、本発明の第４の実施形態における集塵装置の構成を示す概略断面図である。
【図１６】は、本発明の第５の実施形態における集塵装置の構成を示す外観斜視図である。
【図１７】は、図１６の集塵装置における回路構成を示す概略図である。
【図１８】は、第５の実施形態における集塵装置に第３の実施形態の集塵装置の構成を追加した例を示す概略断面図である。
【図１９】は、第５の実施形態における集塵装置に第４の実施形態の集塵装置の構成を追加した例を示す概略断面図である。
【符号の説明】
【００８１】
１        集塵装置
２        パネル
３        電線
４        ＡＣ／ＤＣコンバータ
５        電源プラグ
６        床
７        塵埃
２１，２１ａ，２１ｂ    支持部材
２２，２２ａ    集塵部材
２３      ライト
２４      プラグ
２５      導体板
５０      巾木
５１      回り縁
１００    壁部
１０１，１０２    接続部
１０３    支持部
１０４    スイッチ
１０５〜１０７    溝
１０８，１１５    端子
１０９    接地用端子
１１０    電源用端子
１１１，１１４    回転軸
１１２    固定部
１１３    可動部
１１６    電線
２０１    電線
２０２，２０５    端子
２０３    突起部
２０４    接地用端子
【図１】
0004877238.tif 000002
【図２】
0004877238.tif 000003
【図３】
0004877238.tif 000004
【図４】
0004877238.tif 000005
【図５】
0004877238.tif 000006
【図６】
0004877238.tif 000007
【図７】
0004877238.tif 000008
【図８】
0004877238.tif 000009
【図９】
0004877238.tif 000010
【図１０】
0004877238.tif 000011
【図１１】
0004877238.tif 000012
【図１２】
0004877238.tif 000013
【図１３】
0004877238.tif 000014
【図１４】
0004877238.tif 000015
【図１５】
0004877238.tif 000016
【図１６】
0004877238.tif 000017
【図１７】
0004877238.tif 000018
【図１８】
0004877238.tif 000019
【図１９】
0004877238.tif 000020